(57)【要約】【課題】  従来のように密封空間に噴水させるのでなく、モータやポンプを使わずに、手軽に移動でき、貯留された水を使い、繰り返し空中への噴水が可能な卓上噴水装置を実現することを課題とする【解決手段】  自然原理による空気の増圧によって水と空気を循環させて、空中への噴水が繰り返し可能な噴水装置を実現するために、本発明では噴水器の高さにあわせて滞水室１６を設けることにより、密封状態でなければ困難と考えられていた返水作業を可能にして、空中への噴水が繰り返し出来る開放型の卓上噴水装置を実現した。【選択図】  図２
2019055375.tif 000002
【特許請求の範囲】
【請求項１】
水と空気の循環による移動式の噴水装置であって、上側に、上部が開放されている噴水器、その下側に密封されている貯水室、その下側に密封されている集水室を有し、下端が前記貯水室の下部に位置し、上端が前記噴水器内に開口する噴水パイプと、上端が前記噴水器内で開口し、下端が前記集水室の下部に位置する通水パイプと、下端が前記集水室内で開口し、上端が前記貯水室の上部に位置する通風パイプとを有し、更に前記噴水器に通ずる流出孔を下部に有する滞水室が前記噴水器に固定され、上端が前記滞水室の上部に位置し、下端の流入孔が前記貯水室の前記噴水パイプの下端より上に位置する滞水パイプを有する噴水筒Ｘを用い、前記貯水室に噴水用の貯留水を貯留してから、前記噴水器の下側に水を滞留させ、この滞留させた水が前記通水パイプへ流出することにより生ずる水と空気の循環により、前記貯留水が全て前記集水室に排出されるまで前記噴水パイプから噴水させることを特徴とする噴水装置。
【請求項２】
水と空気の循環による移動式の噴水装置であって、前記噴水パイプからの噴水終了後、前記噴水筒Ｘの上下を逆に倒置し、前記集水室に排出された排出水が前記通風パイプを流下して前記貯水室に流入し、前記滞水パイプの流入孔を越えない流入分は前記貯留水として貯留され、前記滞水パイプの流入孔を越える流入分は前記滞水パイプの流入孔から流下し前記滞水室に滞留水として貯留されるのを待ってから、前記噴水筒Ｘを再度倒置して、前記滞水室に貯留された前記滞留水が前記流出孔より前記噴水室に流入することにより、前記噴水パイプから再度噴水させることを特徴とする請求項１記載の噴水装置。
【請求項３】
水と空気の循環による移動式の噴水装置であって、上側に、上部が開放されている噴水器、その下側に密封されている貯水室、その下側に密封されている集水室を有し、下端が前記貯水室の下部に位置し、上端が前記噴水器内に開口する噴水パイプと、上端が前記噴水器内で開口し、下端が前記集水室の下部に位置する通水パイプと、下端が前記集水室内で開口し、上端が前記貯水室の上部に位置する通風パイプとを有し、更に前記噴水器に通ずる流出孔を下部に有する滞水室が前記噴水器に固定され、上端が前記滞水室の下部に位置し、下端の流入孔が前記貯水室の前記噴水パイプの下端より上に位置する滞水パイプを有する噴水筒Ｙを用い、前記貯水室に噴水用の貯留水を貯留してから、前記噴水器の下側に水を滞留させ、この滞留させた水が前記通水パイプへ流出することにより生ずる水と空気の循環により、前記貯留水が全て前記集水室に排出されるまで、前記噴水パイプと前記滞水パイプから噴水させることを特徴とする噴水装置。
【請求項４】
水と空気の循環による移動式の噴水装置であって、前記噴水パイプと前記滞水パイプからの噴水終了後、前記噴水筒Ｙの上下を逆に倒置し、前記集水室に排出された排出水が前記通風パイプを流下して前記貯水室に流入し、前記滞水パイプの流入孔を越えない流入分は前記貯留水として貯留され、前記滞水パイプの流入孔を越える流入分は前記滞水パイプの流入孔から流下し前記滞水室に滞留水として貯留されるのを待ってから、前記噴水筒Ｙを再度倒置して、前記滞水室に貯留された前記滞留水が前記流出孔より前記噴水室に流入することにより、前記噴水パイプと前記滞水パイプから再度噴水させることを特徴とする請求項３記載の噴水装置。
【発明の詳細な説明】
【技術分野】
【０００１】
本発明は、電源によるモータ、ポンプなどを使わずに、自然原理による空気の増圧によって空中に噴水させる移動可能な開放型卓上噴水装置に関するものである。
【背景技術】
【０００２】
モータやポンプを使って噴水させる噴水装置は卓上用や玩具として一般に利用されている（例えば特許文献１参照）。これとは別に電気、ポンプ等を使わず、自然原理による空気と水の循環によって噴水させる卓上式の噴水装置の開発も行われている（例えば特許文献２、３、４参照）。上記空気と水の循環による噴水装置の特徴は噴水装置が密封状態に置かれることであり、この密封状態によって、貯水器に貯留された噴水用の水が無くなり噴水が終了した後、噴水により集水器に排出された排出水を元の状態、即ち前記貯水器に戻す返水作業が可能となり、繰り返しの噴水を可能にした。
【先行技術文献】
【特許文献】
【０００３】
【特許文献１】特開２００４−０１７０３８
【特許文献２】実開昭５７−１２８３６８
【特許文献３】特開昭５０−６４８１
【特許文献４】特開２０１４−１４１９４６
【発明の概要】
【発明が解決しようとする課題】
【０００４】
しかしこの密封噴水装置においては、噴水も密封空間に噴水されるため解放感が少ないという問題があった。これに対し本発明は水と空気の循環により噴水させることは同じであるが、密封空間ではなく開放された空中に噴水させ解放感を大きくし、かつ密封状態でなければ困難と考えられていた返水作業を可能にして繰り返しの噴水を実現したものである。
【０００５】
即ち、従来のようにモータやポンプを使わずに、手軽に移動ができ、かつ貯留された水を使い繰り返し空中への噴水が可能な噴水装置を実現することを課題とする。
【課題を解決するための手段】
【０００６】
図１は、ポンプを使わず、密封状態にした噴水装置を用いて自然原理による水と空気の循環により噴水させる代表的な密封型の噴水装置である。本発明は図１の密封型の噴水装置を元にして図１の密封空間にではなく空中に噴水させる開放型の噴水装置を実現したものである。
【０００７】
図１（a）は従来の密封型噴水装置の説明図である。上方から下方に向かって密封された噴水室２と貯水室３、集水室４を有し、上端が噴水室２内で開口し、下端の流入孔１ａが貯水室３の下部に接触させずに少し離して、即ち「隙間を残して」位置する噴水パイプ１と、上端が噴水室２内で開口し、下端が集水室４の下部に隙間を残して位置する通水パイプ５aと、下端が集水室４内で開口し、上端が貯水室３の上部に隙間を残して位置する通風パイプ５ｂとを配置した噴水筒Ａが使用される。
【０００８】
貯水室３にほぼ満杯に貯留水Waを貯留してから、噴水室２に滞留水Wｂを噴水パイプ１の頂点より下側に滞留すると、以下のような水と空気の循環により噴水が始まる。図１（ａ）は、噴水が始まる最初の水位を実線で示している。
【０００９】
滞留水Wbが通水パイプ５aに流出し集水室４に排出される。噴水室２の空気圧は滞留水Wｂの流出分だけ減圧されるため貯留水Waを噴水パイプ１に吸い上げる作用が生ずる。一方、集水室４に排出された排出水Wｃによって同量の空気が通風パイプ５ｂを通って貯水室３に押し出され、貯水室３の空気が増圧されて、貯留水Waを噴水パイプ１に押し上げる作用が生ずる。このように貯留水Waを吸い上げる作用と押し上げる作用によって貯留水Waが噴水パイプ１を上昇し噴水が始まる。噴水室２から流出した水量と同量の水が噴水され噴水室２に落下する。従って噴水室２の滞留水Wｂの量は変化せず初めの状態で滞留される。
【００１０】
噴水により貯水室３の貯留水Waが無くなると１回分の噴水が終了する。噴水が終わると、噴水パイプ１の長さが、滞留水Wｂと排出水Wｃの水位差ΔH（＝Wｂの水位−Wｃの水位）以下であるため、滞留水Wｂは全て集水室４に排出される。集水室４には貯留水Waと滞留水Wｂを合わせた排出水Wｃが貯留される（図１（ｂ）参照）。
【００１１】
噴水が終わり、滞留水Wｂが全て集水室４に排出されてから噴水筒Ａの上下を逆にして、即ち「倒置」して再噴水の準備が行われる。噴水筒Ａを倒置した直後の状態を図１（ｃ）で示し、図１（ｃ）の状態から、集水室４に集水された排出水Wcは通風パイプ５ｂを流下し貯水室３に排出され、噴水パイプ１の流入孔１ａを越える水量は噴水パイプ１を流下し噴水室２に排出され滞留水Wｂになり、噴水パイプ１の流入孔１ａ以下の水量は貯留水Waとなる（図１（ｄ）参照）。図１（ｄ）の状態から再度噴水筒Ａを倒置すると図１（a）の元の状態に戻り再噴水が始まる。
【００１２】
図２は本発明の開放型噴水装置の説明図である。上方から下方に向かって、上部が開放されている噴水器１２、その下に密封されている貯水室１３、更にその下に密封されている集水室１４を有し、上端が前記噴水器１２内で開口し、下端の流入孔１１ａが前記貯水室１３の下部に隙間を残して位置する噴水パイプ１１と、上端が噴水室１２内で開口し、下端が集水室１４の下部に隙間を残して位置する通水パイプ１５aと、下端が前記集水室１４内で開口し、上端が前記貯水室１３の上部に隙間を残して位置する通風パイプ１５ｂとを配置した噴水筒Ｂが使用される。
【００１３】
噴水筒Ｂには、噴水筒Ａには無かった滞水室１６が貯水器１２の内部又は外部に取り付けられる。図2は内部に取り付けられた場合を示している。滞水室１６は上面と下面を有し噴水器１２に同じ高さで取り付けられ、その下部には噴水器１２に通じる流出孔１６aがある。上端が滞水室１６内の上部に開口し、下端の流入孔１７ａが噴水パイプ１１の流入孔１１ａより上方に位置し、滞水室１６の下面を密封状に貫通する滞水パイプ１７が接続されている。
【００１４】
貯水室１３にはほぼ満杯に貯留水Waを貯留してから、噴水室１２に滞留水Wｂを噴水パイプ１１の頂点より下側に滞留すると（図２（ａ）の実線参照）、滞留水Wbが通水パイプ１５aに流入し集水室１４に排出され、排出された排出水Wｃと同量の空気が通風パイプ１５ｂを通って貯水室１３に押し出され、貯水室１３の空気が増圧され、貯留水Waが噴水パイプ１１に押し上げられ噴水が始まる。
【００１５】
滞水パイプ１７にも貯留水Waを押し上げる作用が生ずるが、滞水パイプ１７が長い場合には滞水パイプ１７の上部から貯留水Waが流出することはないが、短い場合には流出する。滞水パイプの長短は噴水装置の用途により決定する。即ち噴水パイプ１１の1本からの噴水を目的とする図２のような場合には長くし（図３（ａ）参照）、滞水パイプ１７からも噴水させ、複数の噴水を目的する場合には短くする（図４（ａ）参照）。噴水器１２から流出した水量と同量の水が噴水され噴水器１２に落下する。従って噴水器１２の滞留水Wｂの量は変化せず初めの状態で滞留される。
【００１６】
噴水により貯水室１３の貯留水Waが無くなると１回分の噴水が終了する（図２（ａ）の１点鎖線参照）。噴水が終わると、噴水パイプ１１の長さが、滞留水Wｂと排出水Wｃの水位差ΔH（＝Wｂの水位−Wｃの水位）以下としているため、滞留水Wｂは全て集水室１４に排出される。集水室１４には貯留水Waと滞留水Wｂを合わせた排出水Wｃが貯留される。滞留水Wｂの排出後、噴水筒Ｂを倒置して再噴水の準備がなされる。
【００１７】
図２（ｂ）は、噴水筒Ｂを倒置して排出水Wｃを貯水室１３に戻す過程の説明図である。図２（ｂ）では倒置した直後の水位を実線で示し、排出水Ｗｃが
全部排出された状態を１点鎖線で示している。集水室１４に集水された排出水Wcは通風パイプ１５ｂを流下し貯水室１３に排出され、滞水パイプ１７の流入孔１７ａを越える水量は滞水パイプ１７を流下し滞水室１６に貯留され滞留水Wｂになり、滞水パイプ１７の注入孔１７ａ以下の水量は貯留水Waになる。
【００１８】
滞留水Ｗｂは、滞水室１６の流出孔１６ａより下側に貯留されるから噴水筒Ｂから排出水Ｗｃが外部に漏れ出すことはない。この状態から再度噴水筒Ｂを倒置すると（図２（ｃ）参照）、滞水室１６に貯留されていた滞留水Wｂが滞水室１６の下部の流出孔１６aから流出し噴水器１２の下部に広がり元の状態（図１（a）参照）に戻り噴水が始まる。
【００１９】
以上は図１と図２による密封型と開放型の噴水装置の説明であるが、ここで図１の密封型の上方の噴水室２の上部を開放した場合を想定してみると、開放しても最初の噴水は起こるが、再倒置後は滞留水Ｗｂが無いから噴水は起こらない。噴水させるには新たに噴水室２に水を注ぎ込まなければならない。本発明の開放型噴水装置においては、この新たな水の注ぎ込みを滞水室１６からの水の流出により自動的に行なうことにより再度の噴水を可能にしている。
【発明の効果】
【００２０】
ポンプを使用しないで自然原理による水と空気の循環によって空中に噴水させる方法により、手軽に移動でき設置場所を選ばない開放感のある卓上式噴水装置が可能となり、玩具や置物としての利用が広がることが期待される。
【図面の簡単な説明】
【００２１】
【図１】従来の密封型噴水装置の説明図である。
【図２】本発明の開放型噴水装置の説明図である。
【図３】実施例１の説明図である。
【図４】実施例２の説明図である。
【発明を実施するための形態】
【００２２】
実施例１は噴水器の中心から噴水する開放型の噴水装置で、図３により説明する。図３（a）は開放型の噴水筒Ｃの斜視図、図３（ｂ）はその平面図、図３（ｃ）はその正常時の断面図で、図３（ｄ）はその倒置時の断面図である。この開放型の噴水筒Ｃは噴水が終わると倒置し、噴水された水を元に戻す時間、即ち「間」を取ってから再度倒置し正常時の状態に戻して噴水を再開させる。
【００２３】
図３に示す開放型の噴水装置には、図３（ｃ）に示すように、上部が開放されている噴水器２２の下に密封されている貯水室２３と集水室２４が順に接続され、噴水器２２の外側に、両面が閉じられている円筒状の滞水室２６を有し、上端が前記噴水器２２内で開口し、下端の流入孔２１ａが前記貯水室２３の下部に隙間を残して位置する噴水パイプ２１と、上端が噴水室２２内で開口し、下端が集水室２４の下部に隙間を残して位置する通水パイプ２５aと、下端が前記集水室２４内で開口し、上端が前記貯水室２３の上部に隙間を残して位置する通風パイプ２５ｂと、上端が滞水室２６の上部に開口し、下端の流入孔２７ａが噴水パイプ２１の流入孔２１ａより上方に位置する滞水パイプ２７とを配置した噴水筒Ｃが使用される。噴水器２２は透明性を有し、集水室２４は貯水室２３より大きな容量を有している。
【００２４】
貯水室２３を貯留水Ｗａで満水状態にしてから、噴水器２２に滞留水Ｗｂを注ぐと（図３（ｃ）の実線参照）、滞留水Wbは通水パイプ２５aを通って集水室２４に排出され、それと同量の空気が通風パイプ２５ｂを通って貯水室２２に押し出され空気圧が高くなり、貯留水Waが噴水パイプ２１に押し上げられ噴水が始まる。滞水パイプ２７にも貯留水Waを押し上げる作用が生ずるが、滞水パイプ２７は滞水室２６の上部に接続され十分長いため、滞水パイプ２７との摩擦や水の自重により滞水パイプ２７の上端まで貯留水Waを押し上げることはできず噴出することはない。
【００２５】
噴水パイプ２１からの噴水は最初高く吹きあがるが時間の経過とともに徐々に低くなり貯水室２３の貯留水Waが無くなると１回分の噴水が終了する（図３（ｃ）の１点鎖線参照）。噴水が終わると、噴水パイプ２１の長さが、滞留水Wｂと排出水Wｃの水位差ΔH以下であるため、滞留水Wｂは全て集水室２４に排出される。集水室２４には貯留水Waと滞留水Wｂを合わせた排出水Wｃが貯留される。滞留水Wｂの排出後、噴水筒Ｃを倒置して再噴水の準備が行われる。
【００２６】
図３（ｄ）は、噴水筒Ｃを倒置して排出水Wｃを貯水室２３と滞水室２６に戻す過程の説明図である。集水室２４に集水された排出水Wc（図３（ｄ）の実線参照）は通風パイプ２５ｂを流下し貯水室２３に排出され、滞水パイプ２７の流入孔２７aを越える水量は滞水パイプ２７を流下し滞水室２６に貯留され滞留水Wｂになり、滞水パイプの流入孔２７a以下が貯留水Waになる。噴水器２２は上部が開放されているにもかかわらず、滞水室２６が設置されているため排出水Wｃが噴水筒Ｃから外部に漏れ出すことはない。
【００２７】
この状態から再度噴水筒Ｃを倒置すると、滞水室２６に貯留されていた滞留水Wｂが滞水室２６の下部の流出孔２６aから流出し噴水器２２の下部に広がり図３（ｃ）の元の状態に戻り噴水が始まる。
【００２８】
実施例２は複数個所から噴水する開放型の噴水装置で、図４により説明する。図４（a）は噴水筒Ｄの斜視図、図４（ｂ）はその平面図、図４（ｃ）はその正常時の断面図で、図４（ｄ）はその倒置時の断面図である。この開放型の噴水筒Ｄは噴水が終わると倒置し、間を取ってから再度倒置し正常時の状態に戻して噴水を再開させる。
【００２９】
図４に示す開放型の噴水筒Ｄは、前記噴水筒Ｃと同様に、図４ｃに示すように、噴水器３２、貯水室３３、集水室３４、滞留室３６で構成され、噴水パイプ３１、通水パイプ３５ａ、通風パイプ３５ｂが前記噴水筒Ｃと同様に配置されている。噴水器３２と滞水室３６は透明性を有し、集水室３４は貯水室３３より大きな容量を有している。噴水筒Ｃとの違いは、噴水筒Ｄには噴水器３２の内側に、滞水パイプ３７が組み込まれた2個の滞水室３６が固定され、滞水パイプ３７の突出部が噴水パイプ３１の突出部とほぼ同じ高さで短いことである。
【００３０】
貯水室３３を貯留水Ｗａでほぼ満水にしてから、噴水器３２に滞留水Ｗｂを注ぐと（図４（ｃ）の実線参照）が通水パイプ３５ａに流出することにより、噴水筒Ｃと同様に、水と空気の循環によって貯水室３２の貯留水Waが押し上げられ、噴水パイプ３１と2本の滞水パイプ３７からの噴水が始まる。噴水器３２の中心にある噴水パイプ３１からの噴水は空中に高く上がり、両脇の2本の滞水パイプ３７からは滞水室３６の天井にぶつかるように噴水する。
【００３１】
噴水は時間の経過とともに徐々に低くなり貯水室３３の貯留水Waが無くなると１回分の噴水が終了する（図４（ｃ）の１点鎖線参照）。噴水が終わると、噴水パイプ３１と滞水パイプ３７の長さが、滞留水Wｂと排出水Wｃの水位差ΔH以下であるため、滞留水Wｂは全て集水室３４に排出される。集水室３４には貯留水Waと滞留水Wｂを合わせた排出水Wｃが貯留される。滞留水Wｂの排出後、噴水装置Ｄを倒置して再噴水の準備がなされる。
【００３２】
図４（ｄ）は、噴水筒Ｄを倒置して排出水Wｃを貯水室３３に戻す過程の説明図である。集水室３４に集水された排出水Wc（図４（ｄ）の実線参照）は通風パイプ３５ｂを流下し貯水室３３に排出され、滞水パイプ３７の流入孔３７aを越える水量は滞水パイプ３７を流下し滞水室３６に貯留され滞留水Wｂになり、滞水パイプの流入孔３７a以下が貯留水Waになる（図４（ｄ）の１点鎖線参照）。噴水器３２は上部が開放されているが、滞水室３６が設置されているため排出水Wｃが噴水筒Ｄの外部に漏れ出すことはない。この状態から再度噴水筒Ｄを倒置すると、滞水室３６も上下が逆になり、滞水室３６に貯留されていた滞留水Wｂが滞水室３６の下部の流出孔３６aから流出し噴水器３２の下部に広がり元の状態（図４（ｃ）参照）に戻り噴水が始まる。
【符号の説明】
【００３３】
Wａ：貯留水
Wｂ：滞留水
Wｃ：排出水
Ａ：従来の密封型噴水装置の噴水筒
Ｂ：本発明の開放型噴水装置の噴水筒
Ｃ：実施例１の噴水筒
Ｄ：実施例２の噴水筒
１：密封型噴水装置の噴水パイプ
２：密封型噴水装置の噴水室
３：密封型噴水装置の貯水室
４：密封型噴水装置の集水室
５ａ：密封型噴水装置の通水パイプ
５ｂ：密封型噴水装置の通風パイプ
１１：開放型噴水装置の噴水パイプ
１１ａ：開放型噴水装置の噴水パイプの流入孔
１２：開放型噴水装置の噴水器
１３：開放型噴水装置の貯水室
１４：開放型噴水装置の集水室
１５ａ：開放型噴水装置の通水パイプ
１５ｂ：開放型噴水装置の通風パイプ
１６：開放型噴水装置の滞水室
１６ａ：開放型噴水装置の滞水室の流出孔
１７：開放型噴水装置の滞水パイプ
１７ａ：開放型噴水装置の滞水パイプの流入孔
２１：実施例１の噴水パイプ
２１ａ：実施例１の噴水パイプの流入孔
２２：実施例１の噴水器
２３：実施例１の貯水室
２４：実施例１の集水室
２５ａ：実施例１の通水パイプ
２５ｂ：実施例１の通風パイプ
２６：実施例１の滞水室
２６ａ：実施例１の滞水室の流出孔
２７：実施例１の滞水パイプ
２７ａ：実施例１の滞水パイプの流入孔
３１：実施例２の噴水パイプ
３１ａ：実施例２の噴水パイプの流入孔
３２：実施例２の噴水器
３３：実施例２の貯水室
３４：実施例２の集水室
３５ａ：実施例２の通水パイプ
３５ｂ：実施例２の通風パイプ
３６：実施例２の滞水室
３６ａ：実施例２の滞水室の流出孔
３７：実施例２の滞水パイプ
３７ａ：実施例２の滞水パイプの流入孔
【図１】
2019055375.tif 000003
【図２】
2019055375.tif 000004
【図３】
2019055375.tif 000005
【図４】
2019055375.tif 000006
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
水と空気の循環による移動式の噴水装置であって、上側に、上部が開放されている噴水器、その下側に密封されている貯水室、その下側に密封されている集水室を有し、下端が前記貯水室の下部に位置し、上端が前記噴水器内に開口する噴水パイプと、上端が前記噴水器内で開口し、下端が前記集水室の下部に位置する通水パイプと、下端が前記集水室内で開口し、上端が前記貯水室の上部に位置する通風パイプとを有し、更に前記噴水器に通ずる流出孔を下部に有する滞水室が前記噴水器に固定され、上端が前記滞水室の上部に位置し、下端の流入孔が前記貯水室の前記噴水パイプの下端より上に位置する滞水パイプを
有する噴水筒Ｘを使用することを特徴とする噴水装置。
【請求項２】
水と空気の循環による移動式の噴水装置であって、前記噴水筒Xの前記貯水室に噴水用の貯留水を貯留してから、前記噴水器に前記噴水パイプの頂点より下側に滞留するように水を供給すると、滞留水は前記通水パイプに流入し、前記集水室の空気が前記通風パイプを経由して前記貯水室に排気されることによって、前記貯水室の貯留水が前記噴水パイプを上昇し噴水し落下して前記通水パイプに再度流入するという一連の同時的に起こる仕組みによって噴水が続き、前記噴水パイプの下端より下の水を残して全部の貯留水の前記噴水パイプからの噴水終了後、前記噴水筒Ｘの上下を逆に倒置し、前記集水室に排出された排出水が前記通風パイプを流下して前記貯水室に流入し、前記滞水パイプの流入孔を越えない流入分は前記貯留水として貯留され、前記滞水パイプの流入孔を越える流入分は前記滞水パイプの流入孔から流下し前記滞水室に滞留水として貯留されるのを待ってから、前記噴水筒Ｘを再度倒置して、前記滞水室に貯留された前記滞留水が前記流出孔より前記噴水器に供給されることにより、前記噴水パイプから再度噴水させることを特徴とする請求項１記載の噴水装置。
【請求項３】
水と空気の循環による移動式の噴水装置であって、上側に、上部が開放されている噴水器、その下側に密封されている貯水室、その下側に密封されている集水室を有し、下端が前記貯水室の下部に位置し、上端が前記噴水器内に開口する噴水パイプと、上端が前記噴水器内で開口し、下端が前記集水室の下部に位置する通水パイプと、下端が前記集水室内で開口し、上端が前記貯水室の上部に位置する通風パイプとを有し、更に前記噴水器に通ずる流出孔を下部に有する滞水室が前記噴水器に固定され、上端が前記滞水室の下部に位置し、下端の流入孔が前記貯水室の前記噴水パイプの下端より上に位置する滞水パイプを有する噴水筒Ｙを使用することを特徴とする噴水装置。
【請求項４】
水と空気の循環による移動式の噴水装置であって、前記噴水筒Yの前記貯水室に噴水用の貯留水を貯留してから、前記噴水器に前記噴水パイプの頂点より下側に滞留するように水を供給すると、滞留水は前記通水パイプに流入し、前記集水室の空気が前記通風パイプを経由して前記貯水室に排気されることによって、前記貯水室の貯留水が前記噴水パイプと前記滞水パイプを上昇し噴水し落下して前記通水パイプに再度流入するという一連の同時的に起こる仕組みによって噴水が続き、前記噴水パイプの下端より下の水を残して全部の貯留水の前記噴水パイプと前記滞水パイプからの噴水終了後、前記噴水筒Ｙの上下を逆に倒置し、前記集水室に排出された排出水が前記通風パイプを流下して前記貯水室に流入し、前記滞水パイプの流入孔を越えない流入分は前記貯留水として貯留され、前記滞水パイプの流入孔を越える流入分は前記滞水パイプの流入孔から流下し前記滞水室に滞留水として貯留されるのを待ってから、前記噴水筒Ｙを再度倒置して、前記滞水室に貯留された前記滞留水が前記流出孔より前記噴水器に供給されることにより、前記噴水パイプと前記滞水パイプから再度噴水させることを特徴とする請求項３記載の噴水装置。